(57)【要約】カード用のホルダは、ハウジングを有し、そのハウジングは、カードの山の周りにきつくフィットし、そしてカードを収容しそして排出するためのカード開口部を有する。ハウジングの中に、カード排出フィーチャを備え、それによりカードはカード開口部を通ってハウジングから部分的にスライドされることができる。カード排出フィーチャはエジェクタアームを有し、それはフィンガーボタンを操作することにより動かされ、そしてカードが同時に部分的にハウジングから出るように強制する。カード排出フィーチャは、カードに係合しそしてカードをハウジングから部分的に出ることを強制するための、通常使用のための部位（６）と高負荷動作のための部位（７）とを有する。【選択図】図１７
2019519266.tif 000002
【特許請求の範囲】
【請求項１】
カード用のホルダであって、ハウジング（１）を有し、前記ハウジング（１）は、好適には少なくとも３枚のカードの山（２）の周りにきつくフィットし、そしてカードを収納しそして排出するための少なくとも１つのカード開口部（３）を有し、一方前記ハウジングの中の、好適には前記カード開口部（３）の反対側に、カード排出フィーチャを備え、それにより前記カードは前記カード開口部（３）を通って前記ハウジングから部分的にスライドされることができ、前記カード排出フィーチャはエジェクタアームを有し、前記エジェクタアームは、前記ハウジング内を第一の位置と第２の位置の間で移動し、そして前記移動の間に、前記カードに係合しそして前記カードが部分的に前記ハウジングから出るように同時に強制することにより、前記カードを排出するように設計され、そして前記ホルダは、前記カード排出フィーチャにより前記カードを排出するための力を提供するための外部駆動フィーチャ、例えばフィンガーボタン、を有する、ことを特徴とするカード用ホルダ。
【請求項２】
前記カード排出フィーチャは、カードに係合しそしてカードが前記ハウジングから部分的に出ることを強制するための、通常使用のための部位（６）と高負荷動作のための部位（７）を有し、ここで前記高負荷動作のための部位（７）は、前記外部駆動フィーチャ（１８）に印加される同じ力に対して、より大きな力、好適には１０％大きい力、を排出されるべき前記カードに提供するように設計される、ことを特徴とする請求項１に記載のホルダ。
【請求項３】
前記エジェクタアームは、２つの分離した部位（６，７）を有し、そのそれぞれはカードに係合しそしてカードが前記ハウジングから部分的に出ることを強制するように設計され、前記２つの部位は、前記カードを排出するための前記外部駆動フィーチャ（１８）に印加される負荷が閾値を超えると解除されるように設計される、好適には可逆型のブレークカップリングにより好適には相互に結合され；リセット手段（２０）が前記通常使用のための部位（６）に取り付けられ、そして前記高負荷動作のための部位（７）には取り付けられない、ことを特徴とする請求項１または２に記載のホルダ。
【請求項４】
以下に記載の１つまたはそれ以上が適用される、ことを特徴とする請求項１−３のいずれかに記載のホルダ：
−前記２つの部位（６，７）は部分的に重なる；
−前記２つの部位（６，７）は相互に整列している；
−前記高負荷動作のための部位（７）はカード排出時に前記山の全てのカードに同時に係合しないため幅の狭いカード係合面を有する；
−ブレークカップリングはピボットと前記エジェクタアームの自由端部の間に位置する。
【請求項５】
前記ブレークカップリングは、付勢リセット手段（２０）と１つのカップリング部位にある対向して傾斜する２つの停止面の１つの組立体と、他の１つのカップリング部位にある、前記２つの停止面の１つと交互にスライド係合する接触端部と、を有し、それにより前記カップリング部位を相互に係合し又は乖離するために前記カップリング（８，１１）に働く負荷は、前記接触端部および前記関連する停止面に対し、前記リセット手段の付勢と反対側に相互にスライドさせる、ことを特徴とする請求項１−４に記載のホルダ。
【請求項６】
前記ホルダは、前記エジェクタアームの長手方向の前記自由端部が動作中に前記ピボットから少なくとも０．５ｍｍ移動して離れることが出来るための手段を有する、ことを特徴とする請求項１−５に記載のホルダ。
【請求項７】
前記エジェクタアームは前記ハウジングと１つのピボット（１７）を共有する２つの分離した部位（６，７）を有し、そのうちの１つの部位（６）に対して前記ピボットは細長い枢動孔（２９）を有し、それにより当該部位（６）は、ばね（２０）の付勢に逆らって長さ方向に少なくとも０．５ｍｍ移動できる、ことを特徴とする請求項６に記載のホルダ。
【請求項８】
前記エジェクタアームの前記リセットばね（２０）は、前記エジェクタアームの引込位置と伸長位置の両方の位置において、前記ばね（２０）が前記エジェクタアームの長手方向に実質的に平行に伸長する、ように搭載される、ことを特徴とする請求項１−７のいずれかに記載のホルダ。
【請求項９】
前記エジェクタアームの前記リセットばね（２０）は、前記エジェクタアームが完全に引込位置にある時に、前記リセット手段（２０）の前記エジェクタアームへのジョイント（９）の位置と、前記エジェクタアームの前記ピボット（１７）または前記ジョイント（９）から見て当該ピボットより先の位置、との間の位置において前記ホルダに組み込まれる、ことを特徴とする請求項１−８のいずれかに記載のホルダ。
【請求項１０】
前記エジェクタアームは前記カードに係合する短いレバーアーム（７）とそれより少なくとも１０％長い、前記カードに係合する長いレバーアーム（６）とを有し、それらは１つのピボット（１７）を共有する、ことを特徴とする請求項１−９のいずれかに記載のホルダ。
【請求項１１】
前記１つの部位（７）は相互の前記カップリング（８，１１）を介して前記アクチュエータ（１８）から他の１つの部位（６）に駆動力を伝達する、ことを特徴とする請求項１−１０のいずれかに記載のホルダ。
【請求項１２】
前記リセット手段（２０）は前記エジェクタアームの伸長位置と引込位置の間の移動方向に面する前記エジェクタアームの側面のすぐ横に位置し、前記リセット手段（２０）はこのような側面に平行に伸長し、そして少なくとも部分的にこのような側面を覆い；および／またはカードアクセス開口部の反対側で前記ホルダを閉鎖する要素は、好適にはそこからバレルとトリガが視認でき、および／または突出することができる孔または窓を有する、ことを特徴とする請求項１−１１のいずれかに記載のホルダ。
【請求項１３】
前記ハウジングの内側に摩擦要素が配置され、前記摩擦要素は前記ハウジング内の個々のカードの側面端部に摩擦力を印加し、前記摩擦要素は、前記カードの山の中の全てのカードに同時に係合するために十分な幅／寸法であり、および／または剛性でない、ことを特徴とする請求項１−１２のいずれかに記載のホルダ。
【請求項１４】
以下のフィーチャの１つまたはそれ以上を有することを特徴とする請求項１−１３のいずれかに記載のホルダ：
−前記カード排出フィーチャは階段要素（１９）を有し、前記階段要素は、ユーザにより前記ハウジング内に存在するカードの山に向かって前記ハウジングに対して移動することができ、その結果このカードの山は階段状の形態で部分的に前記ハウジングの外に移動する；
−前記カード収容空間はスリーブ状またはシャフト様である；
−前記カード収容空間は、前記カードの頂部面に平行なカード開口部を通って前記カードが当該空間からスライドしなければならないように設計される；
−前記カード収容空間の中に少なくとも３枚の直角形状のカードの山が配置され、カードは相互に整列し、実質的に同一の寸法を有し、それぞれ第１の側面と反対側の第２の側面を有し、そして摩擦要素を有し、前記カード開口部の外にスライドして出る方向に保持するためそれぞれのカードの摩擦要素に面する側面と係合し、そして前記カードは横からプリロードされ、それによりそれぞれのカードの第２の側面は前記収容空間の側面に押圧され、そして当該側面より保持され、一方１枚のカードの第１の側面と第２の側面間の距離はカードの山の中の異なるカードにおける第１の側面と第２の側面間の距離とは異なる。
【発明の詳細な説明】
【技術分野】
【０００１】
本発明は、カード、例えばクレジットカードまたは銀行カード、または別の平らな又は平面のような物体、をそのホルダから排出または分配するための装置（以後「エジェクタ」とも呼ばれる）を備えたカードホルダに関する。前記カード（単数または複数）はホルダ内にしっかりとフィットし、そのためホルダは、前記カードまたはカードの山の形状に類似し、それよりもわずかに大きい空洞を有する。排出されたカードは、好ましくは、互い違いの山として提示される。
【背景技術】
【０００２】
いわゆるクレジットカード形式では、主な寸法がＩＳＯ７８１０に準拠し、厚さおよび丸みはＩＳＯ７８１３に準拠する。この形式は、銀行カード、運転免許証、会員カード、入場券、割引カード、貯蓄カード、ＩＤカードなど、多様な用途のカードに適用されている。
【０００３】
カードは、好ましくは、中実の、折り畳み可能ではない形状及び、滑らかで滑りやすい低摩擦表面を有する。ホルダは、好ましくは、剛性の平坦な箱またはスリーブ形状を有する。
【０００４】
先行技術は、ＥＰ−Ａ０２８７５３２（特許文献１）、ＣＨ７０２９１９Ｂ１（特許文献２）、ＷＯ２０１０１３７９７５（特許文献３）およびＷＯ２０１４０９８５８０（特許文献４）において、カードの長さ方向に沿った階段形状を備える枢動エジェクタアームを開示し、各カードがエジェクタアームの異なる縁部と係合し、カードが同時に排出されて互い違いに積み重ねられたカードの山を提示し、その山はカードホルダから部分的に突出する。異なるカードホルダは、米国特許出願公開第２００２／０７４２４６号（特許文献５）、米国特許第４８８７７３９号（特許文献６）、米国特許第５７１８３２９号（特許文献７）、および日本国実用新案公開Ｓ６０−１７９４８４Ｕ（特許文献８）に開示されている。
【０００５】
上述の国際公開第２０１４０９８５８０号（特許文献４）は、カードの積み重ねを排出する際の排出アームの詰まりの問題に対処している。
【０００６】
上述の先行技術は、本発明の背景知識を提供するものである。この先行技術の開示は、参照により本明細書に取り入れられる。
【先行技術文献】
【特許文献】
【０００７】
【特許文献１】欧州特許出願公開ＥＰ−Ａ０２８７５３２
【特許文献２】スイス特許ＣＨ７０２９１９  Ｂ１
【特許文献３】国際特許出願公開ＷＯ２０１０１３７９７５
【特許文献４】国際特許出願公開ＷＯ２０１４０９８５８０
【特許文献５】米国特許出願公開第２００２／０７４２４６号
【特許文献６】米国特許第４８８７７３９号
【特許文献７】米国特許第５７１８３２９号
【特許文献８】日本国実用新案公開Ｓ６０−１７９４８４Ｕ
【発明の概要】
【０００８】
本発明の目的は多岐にわたる。１つの態様では、目的は、カード排出機構、またはその一部、例えばエジェクタアームのジャミング、またはカードの山を排出するときのカードのジャミングを防止または解消する際の従来技術のさらなる改善である。さらなる可能な態様は、長寿命のホルダの快適で簡単で正確な操作である。さらに別の態様では、この目的はエラーのない取り扱い、低い製造コスト、魅力的な外観である。したがって、本発明は、請求項に記載のカードホルダに関する。他の態様は、明細書、図面または請求項から学ぶことができる。２つ以上の態様を組み合わせることができる。
【０００９】
好ましくは、装置に以下の１つまたは複数が適用される：長方形、好ましくは細長い；固定形状、頑丈な、軽量材料、例えば、金属またはポリマー材料、ポリエステル、ＰＰから作られる；箱またはスリーブの形状；カード収納空間は、しっかりとフィットしてカードの山を受け取る；固定の長さ、幅および深さ；カード排出機構、好ましくは、カードが収納されているハウジン部空間へのカードアクセス開口部とは反対側の、カードホルダの長手方向端部に位置する。
【００１０】
好ましくは、本発明は、排出機構を備えるカードホルダに関する。その排出機構はカードの完全な山を排出する、従ってカードの山の全てのカードが同時に排出される、何故ならば、例えば、エジェクタ機構はカードを排出する際に同時に完全にカードの山に係合するからである。好ましくは、カードは、部分的にカードホルダから突出している互い違い（ｓｔａｇｇｅｒｅｄ）のカードの山が提示されるように、ハウジングから押し出される。これは、好ましくは、エジェクタ装置の設計によって提供される。より好ましくは、カードの山がカードホルダ内に完全に収容されているとき、カードは互に整列し（換言すれば、カードは互い違いになっていない）、そして好適にはカードホルダから部分的に飛び出しており、ここでカードは互い違いの態様で提示される、ようにカードホルダまたはエジェクタ装置は設計される。カードを互い違いの態様で提示することにより、それらは容易に個別に識別され、ユーザの手の２本の指でカードの山から個別に取り出されうる。カードホルダは、通常の日常使用中にカードホルダが受ける標準的な負荷に関して剛性であることが好ましい。
【００１１】
特に、カードホルダは、クレジットカード（およびクレジットカードと類似の寸法の、異なる物品、以後「カード」と呼ばれる）を収容しそして分配するように設計されている。ここで少なくとも３、４または５枚のカードがホルダ内に収容されることが可能であり、より好ましくは、カードの山の内のカードが、直接相互に重ね合わされまたは隣接し、言い換えれば、隣接するカードの間にさらなる物体、例えばスペーサが存在せず、または存在する必要が無い。ホルダは、好ましくは、実質的にまたは完全に閉じられ、そして固定された２対の対向する側面を有し、１対は長さと幅がカードの寸法と同じ（「主側面」とも呼ばれる）であり、そしてこの対は他の１対の側面（「副側面」とも呼ばれる）により隔てられ（カードの山の厚みの範囲を定める）、それによりカードの山がこれらの４つの側面の間にしっかりとフィットする。好ましくは、これらの側面は薄肉であり、および／または硬質のスリーブ状容器を提供する。残りの１対の対向する側面（典型的にはスリーブの長手方向端部に位置する）のうち、好ましくは一方（「底部」とも呼ばれる）は実質的にまたは完全に閉じられ、そして他方（「頂部」とも称される）は開いているが、しかし一時的に例えば蓋により閉鎖されうる、それによりホルダは、好ましくはカードがホルダを出入り可能なただ１つの開口側面を有する。したがって、ホルダは、閉鎖底部を有する剛性スリーブを提供する。典型的には、カードはその主側面に平行に移動することによってホルダを出入りする。
【００１２】
カードが知らず知らずのうちにカードホルダから抜け出ることを回避するために、装置は、好ましくは、カード保持手段、例えばアクセス開口に関連してそれを開閉する脱着可能な（好ましくは枢動する）蓋、または例えばカードの主側面（カード面を規定する側面）または副側面（カード厚みを規定する側面、すなわち薄い側面）に係合するように設計されたクランプ手段または摩擦手段を備える。例えば、国際特許出願公開第２０１０１３７９７５号（特許文献３）は、摩擦手段によってカードをハウジング内に解放可能に保持することを記載しており、その関連する開示は、参照により本明細書に組み込まれる。頂部側面を蓋で閉じずにカードをホルダ内に保持するための保持手段が好ましい。
【００１３】
カードエジェクタは、ホルダ内の第１および第２の（好ましくは引込位置と伸長）位置との間で移動し、カードの山に係合し、好ましくはカードの端部に係合し、カードの山をホルダから押し出すためのエジェクタ要素（以後「アーム」とも呼ばれる）を有し、一方カードは、カードが主側面に平行な平面内で移動し、それにより好ましくは（エジェクタ要素が伸長位置にあるときに）カードが階段状または互い違いにホルダから部分的に突出する。カードを階段状に提示または分配する目的のために、好ましくは、エジェクタアームは、カードの厚さとある程度の関係を有するレリーフプロファイルを備え、それによりエジェクタ要素が複数の離間したフィーチャを有し、それは好適には直線に沿って、例えばエジェクタアームの長さ方向に沿って位置し、このようなフィーチャはカードの山のうちの単一のカードに係合するように設計され、それにより、好ましくは、ホルダ内のエジェクタ要素の移動により、その１つのカードがエジェクタ要素と共に、さらなる距離だけ、ホルダ内の他のカードと比較して外側に移動する。一実施形態では、このようなフィーチャは、エジェクタアームにおける突起であり、そのそれぞれは係合端部（「面」または「接触面」とも呼ばれる）を提供する。ここで好ましくは、突起は、エジェクタ要素から異なる距離だけ突出し、それにより各係合面は異なる高さレベルに存在する。好ましくは、エジェクタアームは、その引込位置で、カードがホルダ内にフィットし、それによりカードが相互に整列し、言い換えれば、きちんとした山を呈するように設計される。
【００１４】
好ましくは、エジェクタアームの高さ（ハウジングの主側面に垂直でハウジング内に入れられたカードまたはカードの山の厚さ方向に平行な寸法を意味する）は、自由端（言い換えれば遠位端または枢動点から遠い方の端部、または駆動手段が係合または取り付けられる端部の反対側の端部）から長手方向に増加する。この高さ（厚さとも呼ばれる）の階状の増加は、カードの山を互い違いに排出するための階段形状のフィーチャまたは接触面を提供する。
【００１５】
階段の段数は、好ましくは、山の内のカードの数に少なくとも等しい、および／または少なくとも４または５または６または７である。階段は、好ましくは、ほぼ等しい長手方向間隔および／または高さを有する。
【００１６】
この伸長位置では、好ましくは、エジェクタアームはホルダ内で斜めに延びているか、または、その押し込み位置と比較して、２０度と９０度の間の角度（９０度は直角に等しい）、好ましくは少なくとも４５度または５５度または６０度および／または８５度未満の角度、を形成する。その引込位置では、エジェクタアームは、好ましくはホルダの外部側面（「底部」とも呼ばれる）または縁部に平行に延在し、好ましくはカードがホルダ内から分配される側の反対側にある側面に延在する。好ましくは、エジェクタアームは、その第１の位置と第２の位置との間で回転または旋回または方向転換または枢動することが好ましく、それに対してピンまたは穴などのヒンジまたは枢動機構が設けられ、それによりエジェクタアームがホルダに取り付けられる。代替として、並進運動が可能である。
【００１７】
エジェクタアームの動きを提供するために、カードエジェクタは、エジェクタアームに関連する駆動手段を備える。しかし、これはモータ駆動手段であり得るが、手動で駆動される駆動手段、例えば、指で操作されるボタンが好ましく、ハウジングの外側に突出または配置されることが好ましい。好ましくは、エジェクタアームおよび駆動手段は剛性の態様で結合され、それにより駆動手段の動きがエジェクタアームに直接伝達され、そしてこれらの部材は両方とも１つとして動く。なぜならば、例えばこれら両方の部材が単一の、好ましくは剛性のある部品に一体化されているからである。エジェクタアームおよび／または駆動手段は、例えばポリマーまたはプラスチックまたは同等の材料からなる射出成形部品であってもよい。
【００１８】
好ましくは、エジェクタアームは、ホルダの関連する側面からのカードの脱落を防止する、ホルダのベースまたは底部またはその一部を提供するか、またはその一部である。
【００１９】
カードエジェクタ機能は、ユーザに対しカードの山をハウジングから部分的にスライドさせる機会を与える。これは、ユーザがカードを選択しそれをハウジングから取り出すことができる前の好ましい動作である。
【００２０】
エジェクタアームがその伸長位置にあるときまでには、カードは、互い違いまたは階段状の山としてハウジングから部分的にスライドされ、それにより各カードがハウジングから外に突出した、カードの上部主側面が露出した細いストリップを提示し、そしてユーザは、このストリップを眺めることによってどのカードがホルダ内に存在するのかを瞬時に見分けることができる。また、ユーザは、カードの山の中から所望のカードを容易かつ迅速に選択することができ、そしてカードがハウジングからスライドされる方向と同じ方向または反対の方向にカードを相互に手動でスライドさせることによって、カードを保管位置から取り外すことができる。
【００２１】
本発明のカードエジェクタの特徴の実施形態は、とりわけ、階段状の要素を有し、それをユーザが、ハウジングに対して、例えば、回転または平行移動の手段によってカードの山に対して移動させることができ、ここで階段状要素の個々の階段は、カードの山の個々のカードにおいて、カード開口部の方向に力を印加し、その結果カードの山は階段状に外側にスライドする。階段は、カードの厚さに平行に測定された厚さと、厚さに垂直に測定され、ハウジングから階段状にスライドする場合にカードが互いにスライドする程度を画定する、間隔を有する。その内容が参照によりここに挿入される、上に引用したＷＯ２０１０１３７９７５（特許文献３）およびＷＯ２０１４０９８５８０（特許文献４）は、階段状要素のさらに好ましい詳細を提供する。
【００２２】
本発明のカードホルダのカード取り出しフィーチャとしてのエジェクタまたはその一部、例えばアーム、の実施形態は、リセット手段、例えばばねを備えまたは関連し、例えば結合され、それはエジェクタまたは関連部品が差動後に常に即座かつ自動的に初期位置に戻る、例えば伸長位置から引込位置に移動するという機能を有する。このようなリセット手段による戻りは、ユーザが部分的に露出されたカードから選択を行う間に、妨害なくカードをハウジング内に戻すことができるという利点を提供する。
【００２３】
本発明のカードホルダの一実施形態は、ガルバニック材料で作られたハウジングを有する。本発明のハウジングの幾何学的形状は、適切なファラデーケージが作られる金属押出しによって製造するのに適している。
【００２４】
好ましくは、カードホルダには、通常使用のためのカードエジェクタ手段と、高負荷または緊急時のためのカードエジェクタ手段が設けられており、この２つのカードエジェクタ手段は、互いに分離した機構であってもよく、単一の機構に統合されていてもよい。例えば。各カードエジェクタ手段は、それ自体の専用の駆動手段または操作手段、例えば、操作ボタンまたはキーを備えてもよい。例えば両方のエジェクタ手段が単一の機構に統合されている場合には、共用の単一の操作ボタンが好ましい。一方または両方のエジェクタ手段は、枢動式または回転式または旋回式であってもよい。
【００２５】
好ましくは、通常使用のエジェクタは、完全なカードの山を互い違いに排出するように設計され、高負荷のエジェクタは、きちんと整列したおよび／または一部のみのカードを排出するように設計される。好ましくは、高負荷エジェクタは、カードに係合する短いレバーアームを提供し、通常使用エジェクタは、カードに係合する長いレバーアームを提供し、高負荷エジェクタに比べて少なくとも１０％または２０％または５０％長くすることが好ましい。好ましくは、レバーアームの遠位端または遠位端部領域がカードと係合する。
【００２６】
エジェクタ機構は、例えば排出負荷閾値を超えると切り離す、例えば摩擦またはスナップ結合により、カードとの係合が通常使用エジェクタと高負荷エジェクタとの間で、好適には可逆的に、切り替わるように好適には設計され、例えば手段を有している。
【００２７】
一実施形態では、カードを排出するためのホルダの動作中、例えば両方のエジェクタが同じアクチュエータ、例えば作動ボタンを共有している場合、高負荷エジェクタは常に作動し、一方通常使用エジェクタは選択的に作動する、または作動しない（例えば、エジェクト負荷がそれぞれ負荷閾値より低いかまたは高い場合）。典型的には、このような場合、通常使用エジェクタが作動しないと、高負荷エジェクタは単にカードと係合するだけである。
【００２８】
一体化された場合、高負荷部位は通常使用部位における突出部、好ましくは階段形状またはレリーフ形状を有する長さ領域から離れた突出部であり得る。または通常使用部位は、例えばリビングヒンジで区切られた、例えば高負荷部位の延長線とすることができる。
【００２９】
高負荷エジェクタは、例えば、カードの山がハウジング内で詰まって通常使用エジェクタを使用してはカードを排出できない場合に作動する。
【００３０】
通常使用エジェクタの長さに沿う突出部による高負荷エジェクタの提供は、通常使用エジェクタに、排出されるべき山との第１の係合領域（例えば階段状またはレリーフ形状）と、その領域から長手方向に離れた第２の係合領域を提供する１つの例である。典型的には、そのような場合には、高負荷エジェクタは常にカードの山と最初に係合してカードの山を僅かな距離だけ排出し、その後、エジェクタが完全な伸長位置に移動する連続した動作により、通常使用エジェクタが係合を引き継いてカードをさらに排出する。
【００３１】
好ましくは、高負荷エジェクタは、少なくとも１０ｍｍだけカードを排出するように設計され、及び／又は、引込状態から伸長状態へのストロークは、高負荷及び通常使用エジェクタで等しい。
【００３２】
好ましくは、エジェクタアームは、少なくとも２つの別個の部品（例えば、トリガ及びバレル）を有し、好ましくは、結合手段によって相互に結合される。好ましくは、一方の部品（例えば、バレルと呼ばれる）は、他方の部品（例えば、トリガと呼ばれる）の延長部分を提供する。このことは、部品がそれらの機能に合わせて調整できるという利点を提供する。一方ではショックプルーフと低摩擦、他方ではショックプルーフと良好な触覚と外見を有する。更なる利点は、例えば妨害を回避または克服するため、アームの動作中に相互に分離することである。アームの自由端を伸長させて、アームのカードへの粘着またはカードにくさびを打ち込むことを回避させ、アームがよりスムーズに引込位置に戻るようにする。（従来技術のホルダを用いた試験は、カードを排出する間に、アームが隣接する２枚のカードの間にくさび状になり、それによってリセット手段がアームを引込位置に自動的に戻すことができない、何故ならばアームはホルダの保持手段によって保持されているカードに「貼付」されたままであるからである。エジェクタアームの操作ボタンを軽く押すだけでカードからアームが解放されるが、これによりショックや騒音が発生する。）好ましくは、１つの部品、例えばバレルは、完全なカードの山、例えばカードの山の完全な厚さをカバー、に係合し、そして排出するように設計されている。一方他の部品、例えばトリガは、山のすべてのカードではなく、２−３枚のカード、例えば山から少なくとも１枚、２枚または３枚少ないカードのみ、例えばカードの山の８０％以下の枚数をカバーするカードに係合して排出するように設計され、このことはカードの詰まりを克服するのに有益である。好ましくは、トリガは、各主側面に最も近いカードが、カードを排出する間にこの部分（トリガ）と係合しないままである、例えばトリガが引込位置と伸張位置との間を移動する間これらの主側面の両方と少なくとも０．８ｍｍのギャップを維持するように配置される。選択肢として、トリガは、引込位置と伸長位置との間を移動する間、少なくとも０．８ｍｍまたは１．２ｍｍの間隔を少なくとも１つの主側面と保つ。
【００３３】
一実施形態では、両方の部品は、ピボットまたはヒンジ付き固定具をハウジングと共有しており、ここで少なくとも１つの部品、例えばバレルに対して、ピボットは、このバレルが長手方向に移動することができるように細長いピボットホールを備える。
【００３４】
別の実施形態では、１つの部品、例えばバレルは、２つのピボットを有し、そのうち１つはハウジングと共有され、他の１つは他の部品、例えばトリガと共有される。
【００３５】
好ましくは、１つの部品例えばバレルの、カードと係合する端部は、他の部品、例えばトリガと比較して、ハウジングに関連するピボットからより遠くで終わり、好適には少なくとも１０％または２５％または５０％または７５％だけより遠くで終わる。一例として、バレルは、ハウジング関連のピボットからカード係合端部まで測定して、好ましくは少なくとも１０％または２５％または５０％または７５％だけより長い。トリガの長さは、好ましくはエジェクタアームの長さの２５％または４０％と６０％または７５％との間、例えば約５０％である。
【００３６】
好ましくは、これらの部品は、ブレークカップリングにより相互結合され、それは負荷閾値を超えると損傷なく分離し、そして再結合可能であり、それにより製品の耐用期間中に何度も分離を繰り返すことができる。ブレークカップリングは、例えば、フォームフィットまたはタイトフィットまたは圧力嵌めまたは摩擦嵌めによって提供される。例えば。摩擦結合またはスナップ結合が可能である。好ましくは、結合解除は、再結合に比べてより高い負荷、例えば少なくとも５％または１０％または１５％または２０％だけ高い負荷を必要とする。
【００３７】
好ましくは、以下の１つ以上が、ブレークカップリングに適用される：エジェクタアームの長さの２５％または３５％と６０％または７５％との間の位置、例えば約５０％の位置および／またはトリガの長手方向の自由端に隣接している位置；分離を開始する前に、少なくとも０．５ｍｍのバレルとトリガとの間の相互の長手方向移動を許容する；好ましくは、一方または両方の長手方向に伸長する、相互に長手方向にスライド可能に係合する、バレルおよびトリガの端部により提供され、その端部は、少なくとも０．５ｍｍのトリガに対するバレルの長手方向ストロークだけ長手方向に重複および／または係合する。
【００３８】
１つの実施形態では、１つの部品、例えばトリガが、アクチュエータ例えば操作ボタンからの駆動力を他の部品例えばバレルに相互結合を介して伝達する。
【００３９】
エジェクタアーム（バレル）がカードの排出中にカードにくっつくまたは楔状になるのを避けるための本発明の効果の例は、以下の通りである：トリガの遠位端（スライドカムとも呼ばれる）が例えばその長手方向端部において、バレルの停止端部に当接し、その態様は、アクチュエータを操作することによってトリガが引込位置から枢動されると、バレルはこの動きに追従するように強制される。トリガおよびバレルの伸長位置への回転方向とは反対方向の力をバレルの遠位端に印加する、カードの排出に対する抵抗に起因して（例えばカードの主側面または副側面に係合するホルダの摩擦手段に起因して）、そしてスライドカムと関連した停止端部の相互の向き及び／又は形状に起因して、トリガからの駆動力はバレルの長手方向に部分的に分割され、それにより、あたかもバレルが長手方向に伸びるように、バレルがトリガから離れて長手方向に僅かに移動する（平行移動）。従って、最初に、エジェクタの引込位置から開始する場合、バレルは、トリガとの枢動または回転の他に、長手方向に平行移動する。このバレルの伸長は、例えばばね等のリセット手段の作用に抗して行われ、伸びが制限されている。トリガがバレルを伸長位置に駆り立て、同時にバレルがカードをホルダから出るように駆り立てる限り、このバレルの伸長は維持される。しかしながら、トリガの駆動力が除去されるとすぐに、長手方向にバレルに作用するトリガからの力成分は消滅し、その結果、リセット手段はバレルが長手方向に収縮するかのように長手方向にバレルを引き戻し、この動きは、バレルがカードの間にくさび状にされている（すなわち、「カードにくっついている」）場合、エジェクタアーム全体（トリガとバレル）を引込位置に戻すことに比べてリセット手段から必要とされる努力は小さい。それによりバレルがカードから確実に外れ、たとえ粘着が発生してもアクチュエータ（例えば、操作ボタン）が離されるとすぐに、リセット手段の作用により、エジェクタアーム全体が常に自動的に引込位置に戻る。
【００４０】
一実施形態では、エジェクタアームは、伸縮性部品、例えば、バレルとトリガを備えることによって伸長するように設計されている。伸びは、好ましくは少なくとも０．５ｍｍである。
【００４１】
好ましくは、以下のうちの１つ以上がリセット手段、好ましくは引っ張りばねおよび／またはコイルばねに適用される：収縮位置および伸長位置の両方でそして好ましくはその間の１つまたは複数またはすべての位置で、エジェクタアームの伸長部に平行に、または最大１０または１５または２０度の鋭角で、動作する；エジェクタアームが完全に引込位置にあるときのエジェクタアームに対するリセット手段のジョイントの位置と、そのジョイントから見てエジェクタアームのピボットまたはピボットを越えた位置と、の間の位置でホルダに結合されている；エジェクタアームがホルダに取り付けられている位置（例えば、ホルダ固定エジェクタアームピボット）から５ｍｍ以内の位置でホルダに結合される。これにより、アームの自由端が伸びてアームがカードにくっつかないようになり、アームがより円滑に引込位置に戻ることができる。
【００４２】
従来技術のリセット手段、例えば、上記で引用されたＷＯ２０１０１３７９７５（特許文献３）から知られるリセット手段は、エジェクタアームのピボットから見て、アームへのリセット手段の結合点を越えた位置、従って引込位置にある場合にはエジェクタアームの遠位端の近くの位置でホルダに結合され、そしてその引込位置においてだけエジェクタアームに平行に伸長する。一方その伸長位置ではリセット手段がエジェクタアームに対してほぼ垂直に延びているので、エジェクタアームが引込位置から伸長位置に移動する間、リセット手段は約４５度のストロークをカバーする。
【００４３】
このように、本発明によれば、リセット手段は、従来技術とは異なって配向される。
【００４４】
リセット手段は、好ましくは、エジェクタアーム、トリガおよびバレル（または少なくともその階段状部分）の１つまたは複数の脇、好適にはすぐ脇にあり、別の言い方をすれば、エジェクタアーム、トリガまたはバレルの側面に隣接し、伸長位置と引込位置との間の移動方向を向いている。先行技術は、ばねをエジェクタアームの真上または真下に適用する。好ましくは、リセット手段は、そのような側面に平行に延び、及び／又はそのような側面を少なくとも部分的に覆う。リセット手段は好ましくはバレル手段に固定されている。トリガ手段は、好ましくは、リセット手段に固定されない。
【００４５】
カードアクセス開口の反対側にあるホルダ閉鎖要素は、好ましくは開口または窓を有し、それを介してバレルおよびトリガが視認可能でありおよび／またはその中に突出する（図３０に図示）。
【００４６】
本発明はまた、上記の個々の発明のそれぞれおよび任意の組合せおよび置換に関する。
【図面の簡単な説明】
【００４７】
以下、本発明の実施の形態について図面を参照して説明する。図面は次のとおり：
【図１−２】カードホルダの斜視図である。
【図３−４】図３は図１の断面図である。図４は、互い違いのカードの山に係合する枢動エジェクタアームの斜視図である。
【図５−６】異なる動作段階の間の本発明のエジェクタアームの第１の実施形態を示す斜視図である。
【図７−８】異なる動作段階の間の本発明のエジェクタアームの第１の実施形態を示す斜視図である。
【図９−１０】異なる動作段階の間の本発明のエジェクタアームの第１の実施形態を示す斜視図である。
【図１１−１２】異なる動作段階の間の本発明のエジェクタアームの第１の実施形態を示す斜視図である。
【図１３−１４】異なる位置にある図５のエジェクタアームの斜視図および側面図である。
【図１５−１７】異なる位置にある図５のエジェクタアームの斜視図および側面図である。
【図１８−１９】反対側から見た図５のエジェクタアームの分解斜視図である。
【図２０−２３】２つの動作状態における、本発明の二重ヒンジ式エジェクタ装置の２つの代替実施形態の斜視図である。
【図２４Ａ−Ｂ】相互に別個で独立した通常使用及び高負荷エジェクタアームの実施形態の斜視側面図である。
【図２５−２６Ｂ】図２５は一体型エジェクタアームによって提供される、通常使用および高負荷動作の１つの実施形態の斜視側面図である。図２６Ａ−Ｂは一体型のエジェクタアームによって提供される、通常使用および高負荷動作の別の１つの実施形態の斜視側面図である。
【図２７Ａ−３０】図２７Ａ−Ｅは、ブレークカップリングの動作の詳述図である。図２８Ａ−Ｆは、別のブレークカップリングの動作の詳述図である。図２９は、図５の実施形態の上面図である。そして図３０は、図５の実施形態の底面図である。
【発明を実施するための形態】
【００４８】
図１−３は、図示された少なくとも３つのカードの山（４つが図示されている）の周りにしっかりと嵌合するカードホルダのハウジングの斜視図を示し、ハウジングの２つの長手方向の端部の１つはカードカードを受け入れ、取り出すために開けられているので、カード開口部と呼ばれる。カードの山の周りにきつくフィットすることは、直角のレンガ状物体に基づく主な形状を意味するが、もちろん、それは設計または人間工学の理由から、例えば、面取り、丸み付け、リブなどを設けることによって異なりうる。
【００４９】
図１は、ホルダ１と、４つのカードの整然とした山２を示しており、それはカード開口部３を介してホルダに装填される準備が整っている。ホルダ内に完全に位置する場合、各カードの下側は、エジェクタアームの最初の（引込）位置にある関連する係合面と整列する。エジェクタアームのこの位置から開始し、それを第２の位置に動かす（枢動させる）と、カードは、その関連する係合面によってカードの山が部分的に排出されるように強制される。各係合面は、エジェクタアームの枢動点まで異なる距離を有するので、各カードは、異なる距離だけ移動し、それにより互い違いの排出された山２が得られ（図２に示す、エジェクタアーム（不図示）はその第２の位置にある）、各カードは図示されているように主側面の露出した狭いストリップを提示する。
【００５０】
図３は、ホルダの断面図（カードなしの）を示し、それは階段状要素１６によって提供される（第１の（引込）位置にある）カード排出フィーチャを備え、階段状要素１６は、使用者がハウジングの外側のアクチュエータ１８を介して枢動方向（図中の矢印Ｂ）に力を印加すると、軸１７を中心に枢動可能である。階段状要素は、排出されるべきカードの副側面に対して力を加えるように設計されたカード接触面１９を提供する階段から作られる。カード接触面１９は階段形状の段の厚さとみなすことができ、これらの面の高さは公称カード厚さ（約０．８ｍｍ）以下であり、それにより各段は異なるカードに接触する。リセットばね２０は、ボタン１８を放した後の階段状要素１６が、図示された初期（第１）位置に即座かつ自動的に戻ることを保証する。摩擦要素４、例えば粗い繊維様の材料のパッド、例えばフェルトは、ハウジングの副側面においてハウジング内で互いに反対側に位置し、それぞれの個々のカードの副側面に係合し、重力に抗してカードを保持する。
【００５１】
図３の可能な変化形では、階段状要素１６は、カードがカード開口部３を通ってハウジングからスライドする方向に並進することができ、そして階段状要素１６は操作部位１８を解放した後、リセットばね２０によって即座かつ自動的に初期位置に戻る。
【００５２】
図３は、ボタン１８とエジェクタアーム１６との間の結合を示しており、エジェクタアームはカード開口部３と反対側の端部を意味する底縁部の通路を通って伸長している。あるいは、このような通路は、側縁部または主側面３１に隣接して配置されてもよい。ボタン１８は、下縁部に隣接して示されているが、側縁部または主側面３１に隣接して配置されてもよい。底縁部または側縁部は、主側面３１を橋渡しする副側面である。通路とボタン１８のこれらの位置は従来技術で既知である。
【００５３】
図４では、ハウジングは、ハウジング内の要素が見えるように取り外されている。エジェクタアーム１６は、その第２の（伸長）位置に枢動され、互い違いのカードの山２（部分的にのみ図示）と係合する。エジェクタアーム１６は、ピボット１７によって、カード開口部３とは反対側のハウジング開口部内に固定的に配置されたエジェクタアーム固定具１０に枢動可能に搭載され、したがって、ハウジングの閉鎖を提供する。
【００５４】
図１−４から明らかなように、エジェクタアームの厚さは近位側（枢動点１７に近い側）から遠位側（自由端または遠位端）５まで段階的に減少する。エジェクタアーム１６の最大厚みは、ハウジングの２つの主側面の間の隙間により画定されるハウジングの高さに等しく、それはハウジング内でしっかりとフィットするカードの山の最大厚さに等しい。エジェクタアーム１６の最大厚みは、アーム１６の頂部側及び底部側がそれぞれスライドする、対向するハウジング主側面の内面との過度の摩擦なしに、アーム１６をハウジング内で移動させることができるように、僅かだけ薄くすることができる。
【００５５】
対向する主側面の壁３１は、相互に平行に延びる滑らかで平坦な内面を有する。
【００５６】
図５および図６は、通常使用中の本発明の実施形態を示す。また、（図３に示すように）先行技術の解決策とは明らかに異なる、リセットばね２０の修正された適用も示されている。位置９において、リセットばね２０はバレル６に搭載されている。ばね２０の反対側の端部（見えない）は、ピボット１７に隣接するエジェクタアーム固定具１０に取り付けられている。この態様では、ばね２０は、エジェクタアーム１６の枢動中エジェクタアーム１６と平行に維持される。
【００５７】
エジェクタアーム１６は、バレル６とトリガ７の２つの別個の部品から組み立てられ：それらは共通のピボット１７を共有し、バレル６のスライドカム８によって相互に可逆的に結合される。トリガ７は、ボタン１８と強固に結合される。バレル６は、ばね２０により図５に示すように引込位置に向かって偏位している。ボタン１８を操作することにより、トリガ７は、図６に示される位置に枢動され、トリガ７の遠位端または自由端１１（ノーズとも呼ばれる）とスライドカム８との間の係合によりバレル６を一緒に運ぶ。
【００５８】
図７および図８は、高負荷動作を示している。トリガ７がその伸長状態に向かって枢動する間に、バレル６またはカードの山の詰まりにより、バレル６が抵抗に遭遇すると、ノーズ１１およびスライドカム８が互いに動いてバレル６をバネ２０の付勢とは反対の長手方向に移動させる（矢印Ｃ参照）。ノーズ１１およびスライドカム８がまだ係合している間に、ボタン１８の作動が停止されると、バネ２０はバレル６を元の状態に戻す。ボタン１８の作動が増加する力で継続すると、ノーズ１１がスライドカム８を押してバレル６を前方に押し進め、最終的にノーズ１１がスライドカム８を通過でき、その時点でトリガ７とバレル６との間の結合が可逆的に解消され、そしてトリガ７はその伸長状態に向かってさらに自由に枢動する（図８）。バレル６がトリガ７から切り離されるとすぐに、バネ２０は、バレル６を図８に示すように引込状態に戻す。
【００５９】
トリガ７は、図８の位置からボタン１８を操作することによってその初期位置に枢動され、その間ノーズ１１は上方からスライドカム８に衝突する。ボタン１８に何らかの付加的な力を加えるとノーズ１１がスライドカム８を押してバレル６を前進させ、最終的にノーズ１１がスライドカム８を通過でき、その後ばね２０がバレル６を戻し、そして図７に示すようなノーズ１１とスライドカム８の間の係合が回復する。
【００６０】
当業者は、独創的な努力なしに、ノーズ１１およびスライドカム８の形状を調整して、トリガ７とバレル６との間の可逆的なブレークカップリングを得ることができる。
【００６１】
図９および図１０は、エジェクタアーム１６を反対側から示しており、高負荷動作中にバレル６を長手方向（矢印Ｃ）に移動することを可能にするための、バレル６内の細長い枢動孔２９を示している。図９に初期状態を示し、そしてノーズ１１とスライドカム８との係合により前方に動かされたバレル６が図１０に示されている。
【００６２】
図１１および図１２は、通常使用（図１１）および高負荷動作（図１２）中の反対側からのエジェクタアーム１６を示しており、両方の状態においてトリガ７がその第２の位置に枢動されている。図１１では、トリガ７はバレル６と一緒に枢動され、それによりトリガ７がバレル６の後ろに隠れている。そのため図１１ではトリガ７は点線の矢印で参照されている。
【００６３】
図１３および図１４は、ばね２０の付勢に逆らったバレル６の前方への移動を示す。
トリガ７がバレル６に対して僅かに枢動して、バレル６を前方に移動させることが判る。図の右側の点線は、バレル６の前進移動の割合を示している。
【００６４】
図１５および図１６は図１３と図１４と同じものを示す。今回は、斜視図を示す。
【００６５】
図１７は別個のエジェクタアーム１６を示しており、トリガ７はバレル６から分離されている。
【００６６】
図１８および１９は、エジェクタアーム１６の部分６，７および固定具１０の反対側からの斜視分解図を示す。図１９において、ピボット１７の軸が見える。
【００６７】
図２０−２６は、通常使用と高負荷動作とを可逆的に切り替えるように設計されたエジェクタアーム１６の５つの代替的実施形態を示す。
【００６８】
図２０−２１および図２２−２３はそれぞれ、二重ヒンジ式の実施形態の２つの動作状態における第１および第２の例を示す。ここでバレル６は、ピボット１７に追加したピボット２１によってトリガ７の遠位端にヒンジ式に取り付けられている。トリガ７とバレル６は互いに分離した部品であり、可逆的なブレークカップリングによって相互に一列に保たれている。
【００６９】
図２０−２１は、位置２２において活性な摩擦結合（図２１参照）を示し、それはカードを排出している間にバレル６に作用する所定の負荷を超えると外れ、その時点でバレル６はピボット２１の周りを自由に枢動するため解放され（図２１参照）、それによりトリガ７の遠位端部のみがカードをハウジングから押し出す。カードを排出する方向とは反対にボタン１８を操作すると、トリガ７とバレル６を相互に一列に整列することを強制し、可逆的なブレークカップリングとして作用する摩擦結合を回復させる。
【００７０】
図２２−２３は、形状嵌合によって提供される異なる可逆的なブレークカップリングを示し、ここでバレル６のフレキシブル後方延長部２３は、フック端部２４を備え、そのフック端部２４は通常使用の間、トリガ７およびバレル６が一列に並ぶ場合、バレル６の対応するフック端部２５の後ろにフックする。バレル６がカードを排出する間にバレル６によって担われる所定の負荷を超えると、フレキシブル後方延長部２３は曲がり、それによりフック端部２４がフック端部２５から自由に動いて、ブレークカップリングを解消させる。カードを排出する方向とは反対にボタン１８を操作することにより、ブレークカップリングが回復する。
【００７１】
図２２および図２３はまた、従来技術と同じ、従って図３に類似のリセットばね２０の適用を示しており、したがって発明の実施例を示す図５とは明らかに異なっている。
【００７２】
図２４Ａおよび図２４Ｂは、ボタン１８によって操作される通常使用エジェクタアーム６およびボタン２６によって操作される高負荷動作エジェクタアーム７を示し、これらのエジェクタアーム６，７の動作は相互に独立している。図２４Ａは、両方のアーム６，７の引込位置を示し、図２４Ｂはそれらの伸長位置を示す。図示されているように、互いに対向する代わりに、選択肢としてアーム６，７および／またはボタン１８，２６は異なる位置、例えば並んで配置されてもよい。
【００７３】
図２５は、トリガ７およびバレル６を単一部品として示し、ここでバレル６およびトリガ７が合流する領域にリビングヒンジ２７を適用することによって、バレル６がトリガ７に対して枢動することができる。このリビングヒンジは仮想ヒンジを提供し、したがって、物理的枢動軸２１は存在しない。高負荷動作中のエジェクタアームの完全に伸長した位置が示されている。破線は、通常使用中のバレル６の位置を示す。矢印ｄは、通常使用から高負荷動作に切り替えるときのバレル６の枢動の方向を示す。
【００７４】
図２６Ａ−２６Ｂは、図３と類似の一体型物品としてのエジェクタアーム１６を示す。図３に示すように、ハウス内のカードに面する側に固定突起２８を有する。図２６Ａの引込状態から図２６Ｂの伸張状態へと枢動する場合、突起２８は、先ず、カードの対向する端部に係合してカードを外に向かって付勢し、続いて、階段状のプロファイルを有するアーム１６の遠位端部が、対向するカード端部との係合を引き継ぎ、カードをさらに外に向かって付勢する。このようにして、突起２８は、高負荷動作中のトリガ７と同様に動作し、そしてアーム１６の遠位端はバレル６と同様に動作する。しかしながら、この例では、突起２８は、カードを外に押し出す初期段階の間常にカードに係合し、一方アーム１６の遠位端は初期段階が完了した後にのみカードに係合する。したがって、この例では、初期段階は、常にあたかも高負荷動作が必要とされるようである。
【００７５】
図２７Ａ−２７Ｅは例えば図１３に示された実施形態で適用されるブレークカップリングの動作を示す図である。係合結合を示す図２７Ａから始まり、ばね２０の付勢に逆らってカードを排出するようにボタン１８（図１３）を操作した時に、２つのカップリング部品の１つの傾斜した停止面と接触端部が互いに当接してスライドし始める（図２７Ｂ）。閾値負荷に到達すると、結合部品はもはやバレル６を枢動させるためのトリガ７からの負荷に対する相互の障壁をもはや提供しないので、結合が解除される（図２７Ｃ）。結合部品を再び係合させるために、ボタン１８は反対方向に操作され、他方の傾斜した停止面と接触端部は、相互に通過することができるまで（図２７Ｅ）互いに接触してスライドし始める（図２７Ｄ）。その後、リセットばね２０は、初期段階（図２７Ａ）まで部品を動かし、再係合を完了する。
【００７６】
図２８Ａ−２８Ｅは、接触面の異なる形状について２７Ａ−Ｅと同じステージを示す。図２８Ｆは、図２８Ｅと図２８Ａの中間のステージを追加で示し、リセットばね２０によって引き起こされる動きを示す。
【００７７】
図２９は、ホルダ１をカード開口部３から見るときの図であり、バレル６のカード接触面１９を備えた領域（ここではバレル６は主側面３１の間にしっかりとフィットする）と比較してトリガ７の厚さが薄いことを示している。トリガ７は、ピボット１７に隣接するバレル６の薄い部分とスペーサ３０（例えば、図４および図６にも図示）との間に挟まれ、トリガ７はハウジング１の対向する主側面３１の間に安定して配置される。従ってトリガ７は、両方の主側面３１から離間された状態に維持される。
【００７８】
図３０は、図７の矢印Ｚに従ってみた図（図２９の反対側の図）を示す。１つの副側面３２は、ボタン１８によって覆われているため破線で示されている。エジェクタアーム固定具１０は、バレル６およびトリガ７が見える窓３３（図９にも示される）を含む。バレル６およびトリガ７は、この窓３３の中に突出している。
【００７９】
図２９，３０に示す構成要素の相互間隔は、明確化のため誇張されている。
【００８０】
図５−８および図１１は、リセットばね２０を示し、それはトリガ７およびバレル６のすぐ横に存在し、これらの部分６，７と平行に延在し、そしてこれらの部分６，７を部分的に覆っている。これは、ばね２０がエジェクタアームおよびまた階段状要素１９のすぐ上にある図３とは異なっている。ばね２０は単にバレル６に固定されているだけである。
【００８１】
図面、明細書および特許請求の範囲は、多くの特徴の組み合わせを含む。当業者であれば、これらも個別にもまた考慮し、さらなる実施形態に組み合わせることができる。また、異なる実施形態も本発明に属する。本明細書で開示された実施形態におけるものとは異なる特徴は、異なる方法で組み合わせることができ、いくつかの特徴の異なる態様は、相互に交換可能であるとみなされる。記載され、そして図面で開示された全ての特徴は、そのように又は任意の組み合わせにおいて、また請求項またはそれらの照会におけるそれらの配置とは独立して、本願発明の主題を提供する。
【図１−２】
2019519266.tif 000003
【図３−４】
2019519266.tif 000004
【図５−６】
2019519266.tif 000005
【図７−８】
2019519266.tif 000006
【図９−１０】
2019519266.tif 000007
【図１１−１２】
2019519266.tif 000008
【図１３−１４】
2019519266.tif 000009
【図１５−１７】
2019519266.tif 000010
【図１８−１９】
2019519266.tif 000011
【図２０−２３】
2019519266.tif 000012
【図２４Ａ−Ｂ】
2019519266.tif 000013
【図２５−２６Ｂ】
2019519266.tif 000014
【図２７Ａ−３０】
2019519266.tif 000015
【国際調査報告】
2019519266.tif 000016
2019519266.tif 000017
2019519266.tif 000018